(57)【特許請求の範囲】
【請求項１】
カプセル内に収容される事前に小分けされた原材料などのフレーバー原材料を通じて液体を流通させることによって飲料を調製するための飲料調製モジュール（２）と、
前記飲料調製モジュールに組み付けられ、且つ前記飲料調製モジュールから除去のために分解できる取り外し可能なリザーバ（４）と、
前記リザーバを覆うための蓋（４１）と、
を備える飲料調製マシン（１）において、
前記蓋は、前記リザーバが前記モジュールに組み付けられるときに前記リザーバを前記飲料調製モジュールに対して固定するための締結構造（４６）を有し、
前記蓋（４１）が、前記リザーバ（４）を前記飲料調製モジュール（２）に固定するために前記飲料調製モジュール（２）に締結され、前記リザーバを前記飲料調製モジュールから取り外すために前記飲料調製モジュールから外され、前記蓋（４１）の前記締結構造（４６）および前記飲料調製モジュール（２）が取り外し可能な相互接続部（３６、４６）を備え、
前記蓋（４１）が、前記リザーバ（４）を覆う前部（４１ａ）と、前記締結構造（４６）を有する後部（４１ｂ）とを備え、前記蓋（４１）が、前記相互接続部（３６、４６）を接続して取り外すために、その前記前部と前記後部との間で回動でき、前記リザーバの縁部（４４）上にわたって回動できることを特徴とする飲料調製マシン（１）。
【請求項２】
前記飲料調製モジュール（２）が外側ハウジング（２１）を備え、前記締結構造（４６）が、前記リザーバ（４）を前記モジュールに対する組み付け時に前記ハウジングに対して固定するために前記蓋（４１）を前記外側ハウジングに締結し、そのような飲料調製マシン（１）が、下側に配置されるユーザカップまたはユーザマグカップへ飲料を供給するための飲料出口（２７）を伴う前面を有し、前記ハウジング（２１）が、前記前面と反対側に後面（２９）を有し、および／または前記前面に隣接して側面を有し、前記リザーバ（４）が前記後面または前記側面の少なくとも一部にわたって延びる、請求項１に記載の飲料調製マシン。
【請求項３】
前記蓋は、
前記リザーバが前記飲料調製モジュールに組み付けられるときに前記リザーバに接続され、
前記リザーバが前記飲料調製モジュールから取り外されるときに前記リザーバから取り外され、あるいは取り外し可能である、
請求項１または２に記載の飲料調製マシン。
【請求項４】
前記蓋（４１）が前記リザーバ（４）に取り外し不能に固定され、前記蓋がリザーバに組み付けられ、あるいは前記リザーバと一体である、請求項１または２に記載の飲料調製マシン。
【請求項５】
前記蓋（４１）および前記締結構造（４６）が、前記リザーバ（４）を前記飲料調製モジュール（２）に固定するとともに前記リザーバを前記飲料調製モジュールから取り外すために回動軸線（４２）周りで回動可能に移動できる、請求項１〜４のいずれか一項に記載の飲料調製マシン。
【請求項６】
前記蓋（４１）および前記締結構造（４６）が、前記蓋から前記締結構造に力を増強させるために前記回動軸線（４２）周りに回動できるレバー（４１、４６）を形成する、請求項５に記載の飲料調製マシン。
【請求項７】
前記相互接続部（３６、４６）が、前記リザーバ（４）を前記蓋（４１）で閉じることにより接続され、前記蓋を開放移動させて前記リザーバを開放することにより取り外される、請求項１〜６のいずれか一項に記載の飲料調製マシン。
【請求項８】
取り外し可能な前記相互接続部（３６、４６）が、前記蓋（４１）および前記飲料調製モジュール（２）に１つ以上のフック（４６）およびフックリテーナ（３６）をそれぞれ備え、あるいは逆もまた同様であり、前記フックリテーナが前記フックのためのスロット（３６）を有する、請求項１〜７のいずれか一項に記載の飲料調製マシン。
【請求項９】
前記飲料調製モジュール（２）が、取り外し可能な前記リザーバ（４）を保持するための構造（３、３５）を備える、請求項１〜８のいずれか一項に記載の飲料調製マシン。
【請求項１０】
前記蓋（４１）は、取り外し可能な前記リザーバ（４）が前記飲料調製モジュール（２）の前記保持構造（３、３５）によって保持されるときの前記取り外し可能な前記リザーバ（４）の組付けをロックするようになっている、請求項９に記載の飲料調製マシン。
【請求項１１】
前記保持構造（３、３５）が、取り外し可能な前記リザーバ（４）の底部を前記飲料調製モジュール（２）によって支持するための支持部材（３）を備える、請求項９または１０に記載の飲料調製マシン。
【請求項１２】
前記保持構造（３、３５）が、取り外し可能な前記リザーバ（４）を前記支持部材（３）に当て付けた状態に維持するための第２の部材（３５）を備え、前記第２の部材は、
前記リザーバが前記飲料調製マシンに組み付けられるときに前記リザーバの上側部分にあるいは上側部分上に配置され、および／または、
前記リザーバ（４）の凹部または切り欠きなどの開口と協働する前記飲料調製モジュール（２）の突出部（３５）を備え、あるいは逆もまた同様であり、前記開口が、前記リザーバ（４）と前記蓋（４１）との間に配置されるとともに、前記蓋によって覆われる、
請求項１１に記載の飲料調製マシン。
【請求項１３】
前記飲料調製モジュール（２）の底部および前記リザーバ（４）の底部は、前記リザーバが前記飲料調製モジュールに組み付けられるときに取り外し可能に接続される流体コネクタ（３１、４５）を有する、請求項１〜１２のいずれか一項に記載の飲料調製マシン。
【発明の詳細な説明】
【技術分野】
【０００１】
本発明は、取り外し可能な液体供給リザーバを有する飲料調製マシンに関し、特に、飲料調製マシンに対する前記供給リザーバの組付けに関する。
【０００２】
本開示の目的のため、「飲料」は、茶、コーヒー、ホットチョコレートまたは冷たいチョコレート、ミルク、スープ、ベビーフードなどの任意の液体食品を含むように意図されている。「カプセル」は、飲料原材料を収容する柔軟なポッドまたは硬質のカートリッジを含む、任意の形状および構造をなす任意の材料の囲繞パッケージ、特に気密パッケージ、例えばプラスチックパッケージ、アルミニウムパッケージ、リサイクル可能なおよび／または生分解可能なパッケージ内の任意の事前に小分けされた飲料原材料を含むと意図されたものである。
【背景技術】
【０００３】
飲料調製マシンは長年にわたって知られてきた。例えば、米国特許第５，９４３，４７２号明細書は、エスプレッソマシンの水リザーバと熱水または蒸気分配チャンバとの間の水循環シテムを開示する。循環システムは、互いに接続されるとともにリザーバに接続される、バルブ、金属製の加熱チューブ、および、ポンプを含む。
【０００４】
飲料調製マシンは、一般に、飲料調製モジュールを収容するハウジングと、ハウジングに取り外し可能に接続されて飲料調製モジュールと流体連通する液体リザーバとを含む。そのような飲料調製マシンの例は、欧州特許第１２６７６８７号明細書国際公開第２００９／０７４５５３号パンフレット、および、国際出願ＥＰ０９／０５３１３９号明細書に開示されている。
【０００５】
欧州特許第１２６７６８７号明細書は垂直に延びる水リザーバを有する飲料マシンを開示しており、水リザーバは、垂直軸線周りに回動できるとともに、リザーバの周縁により形成され、且つハウジングに形成されるフックリテーナと係合する上側フック部によって飲料マシンのハウジングに対して固定される。また、リザーバは、飲料マシンのハウジングの一部にわたって延びる取り外し可能な蓋で覆われる。水リザーバと蓋とを有する更なる飲料マシンが仏国特許第２３１６９０１号明細書および国際公開第２００５／０７２５８１号パンフレットに開示されている。
【発明の概要】
【発明が解決しようとする課題】
【０００６】
本発明の好ましい目的は、液体リザーバを飲料調製モジュールに固定するための簡単な構造を有する飲料調製マシンを提供することである。
【課題を解決するための手段】
【０００７】
したがって、本発明は、
飲料調製モジュール、特に、カプセル内に収容される事前に小分けされた原材料などのフレーバー原材料を通じて液体を流通させることによって飲料を調製するためのモジュールと、
飲料調製モジュールに組み付けられ、且つ飲料調製モジュールから除去のために分解できる取り外し可能なリザーバ、特に、液体を蓄えてそのような液体をモジュールへ供給するためのリザーバと、
リザーバを覆うための蓋と、
を含む飲料調製マシンに関する。
【０００８】
飲料調製モジュールは、液体をリザーバから飲料調製モジュールの飲料出口に流通させるためのポンプを含んでもよい。ポンプは往復ピストンポンプまたは回転ポンプでもよい。
【０００９】
例えば、飲料調製マシンは、コーヒー、茶、チョコレート、または、スープ調製マシン、例えば、家庭またはオフィスのコンセント電源に電気的に接続され得る自給式卓上マシンである。特に、飲料調製マシンは、挽いたコーヒーまたは茶またはチョコレートまたはカカオまたは粉ミルクなどの調製されるべき飲料の原材料を収容するカプセルに熱水または冷水あるいは他の液体を通すことにより原材料処理装置内で飲料を調製するようになっている。
【００１０】
例えば、飲料調製マシンは、１つ以上の液体リザーバ、液体流通回路、ヒータ、ポンプ、および、抽出のために原材料カプセルを受けて抽出時にカプセルを排出するようになっている飲料調製ユニットを含む原材料処理装置と、カプセルが調製ユニットから排出されるシート内に通じる開口を有するハウジングと、シートに排出されるカプセルを所定の充填レベルまで容器内部に収集するための格納空間を形成するキャビティを有する容器とを備える。容器は、カプセルを収集するためにシート内に挿入可能であるとともに、収集されたカプセルを取り除いて空にするためにシートから除去可能である。そのような原材料処理装置の例は、国際公開第２００９／０７４５５０号パンフレット、国際公開第２００９／１３００９９号パンフレット、および、国際出願ＥＰ０９／０５３１３９号明細書に開示されている。
【００１１】
飲料調製モジュールは、以下の構成要素、
ａ）この飲料の原材料、特に、カプセル内に供給された事前に小分けされた原材料を受けるとともに、入ってくる液体、例えば水の流れを前記原材料に通して飲料出口に案内するための淹出ユニット、
ｂ）淹出ユニットへ供給されるべきこの液体の流れを加熱するためのサーモブロックなどのインラインヒータ、
ｃ）この液体をインラインヒータを通じて圧送するためのポンプ、
ｄ）この液体を液体タンクなどの液体源から飲料出口に案内するための１つ以上の流体接続部材、
ｅ）ユーザからインタフェースを介して命令を受けて、インラインヒータおよびポンプを制御するための、特にプリント回路基板（ＰＣＢ）を備える電気制御ユニット、および、
ｆ）淹出ユニット、インラインヒータ、ポンプ、液体リザーバ、原材料収集器、この液体の流れ、この液体の圧力、および、この液体の温度の特性から選択される少なくとも１つの動作特性を検出するとともに、そのような特性を制御ユニットへ通信するための１つ以上の電気センサ、
のうちの１つ以上を含んでもよい。
【００１２】
ヒータは、サーモブロック、または、オンデマンドヒータ（ＯＤＨ）、例えば欧州特許第１２５３８４４号明細書、欧州特許第１３８０２４３号明細書、および、欧州特許第１８０９１５１号明細書に開示されるＯＤＨタイプであってもよい。
【００１３】
本発明によれば、蓋は、リザーバがモジュールに組み付けられるときにリザーバを飲料調製モジュールに対して固定するための締結構造を有する。
【００１４】
このように、リザーバを飲料調製モジュールに対して締結するための別個の締結構造を有するのではなく、この目的のためにリザーバの蓋自体が締結手段を組み込む。
【００１５】
一般に、飲料調製モジュールが外側ハウジングを備え、締結構造は、リザーバをモジュールに対する組み付け時にハウジングに対して固定するために蓋を外側ハウジングに締結する。通常、飲料調製マシンは、下側に配置されるユーザカップまたはユーザマグカップへ飲料を供給するための飲料出口を伴う前面を有し、ハウジングは、前面と反対側に後面を有し、および／または前面に隣接して側面を有し、リザーバが後面または側面の少なくとも一部にわたって延びる。例えば、リザーバは、ハウジング面と略同一の広がりをもって垂直および／または水平に延びる。
【００１６】
蓋は、リザーバが飲料調製モジュールに組み付けられるときにリザーバに接続されてもよく、また、リザーバが飲料調製モジュールから取り外されるときにリザーバから取り外され、あるいは取り外し可能であってもよい。この文脈において、取外しは、通常の使用中に飲料調製マシンのユーザによって非破壊的に規則通りに達成され得ることを意図されている。
【００１７】
あるいは、蓋はリザーバに取り外し不能に固定され、特に、蓋は、例えば溶接、接着、圧力嵌め、ねじ、リベット等によってリザーバと一体であり、あるいはリザーバに組み付けられる。この文脈において、取り外し不能な固定は、蓋が通常の使用中に取り外されるようになっていないことを意味し、取外しは厄介であり、あるいは破壊的でさえある。特に、リザーバからの蓋の取外しは、リザーバを飲料調製モジュールに対して固定するための通常の締結または取外しの機能を果たさない。
【００１８】
蓋は、リザーバを飲料調製モジュールに固定するために飲料調製モジュールに締結させることができ、また、リザーバを飲料調製モジュールから取り外すために飲料調製モジュールから外すことができる。
【００１９】
飲料調製モジュールおよび蓋の締結構造が取り外し可能な相互接続部を含んでもよい。相互接続部は、リザーバを蓋で閉じることにより接続することができ、また、蓋を開放移動させてリザーバを開放することにより取り外すことができる。
【００２０】
例えば、蓋は、リザーバを覆う前部と、締結構造を有する後部とを有する。蓋は、相互接続部を接続して取り外すために、その前部と後部との間で回動でき、特にリザーバの縁部上にわたって回動できる。取り外し可能な相互接続部は、蓋および飲料調製モジュールに１つ以上のフックおよびフックリテーナをそれぞれ含んでもよく、あるいは逆もまた同様である。フックリテーナがフックのためのスロットを含んでもよい。
【００２１】
飲料調製モジュールの上端部は、蓋の締結構造、例えばフックまたはフックリテーナと協働するための構造、例えばフックリテーナまたはフックを有してもよい。例えば、リザーバは、飲料調製マシンの底部からモジュールの上端部に垂直に延びる。
【００２２】
蓋の締結構造は、スナップ、または、任意の他の取り外し可能な機械的接続を含んでもよい。
【００２３】
一実施形態において、飲料調製モジュールは、取り外し可能なリザーバを保持するための構造を有する。蓋は、一般に、取り外し可能なリザーバが飲料調製モジュールの保持構造によって保持されるときの組付けをロックするようになっている。そのような場合、蓋は、飲料調製モジュールと取り外し可能なリザーバとの間の組付けを拘束の観点から機械的に強固に支持する必要がない。この場合、ロックする蓋は、組み付けられて支持される取り外し可能なリザーバの望ましくない分解を防止するにすぎない。
【００２４】
したがって、保持構造は、リザーバと飲料調製モジュールとの間の主要な拘束を支持するように構成されてもよい。そのような構成では、締結構造は、リザーバと飲料調製モジュールとの間の主要な拘束を支持せず、リザーバと飲料調製モジュールとの組付けをロックするにすぎない。
【００２５】
保持構造は、取り外し可能なリザーバの底部を飲料調製モジュールによって支持するための支持部材、例えば、リザーバの下側で延びる飲料調製モジュールの支持ベースおよび／または支持プラットフォームを備えてもよい。
【００２６】
保持構造は、取り外し可能なリザーバを支持部材に当て付けた状態に維持するための第２の部材を含んでもよい。第２の部材は、リザーバが飲料調製マシンに組み付けられるときにリザーバの上側部分に、あるいは上側部分上に配置され得る。第２の部材は、リザーバの凹部または切り欠きなどの開口と協働する飲料調製モジュールの突出部を備えてもよく、あるいは、逆もまた同様である。開口および突出部は協働穴およびプラグの形状であってもよい。そのような開口は、特に、リザーバと蓋との間に配置される。例えば、凹部は、リザーバに切り欠きを形成し、蓋によって覆われる。この種の第２の部材は、リザーバを支持部材に抗して付勢するため、および／または支持部材に対するリザーバの横方向の移動を防止するために使用されてもよい。例えば、一対のそのような第２の部材は、支持部材上でリザーバを安定させるために使用される。前述したように、蓋は、支持部材と第２の部材との間でリザーバをロックするだけであってもよい。
【００２７】
一般に、飲料調製モジュールの底部およびリザーバの底部は、リザーバが飲料調製モジュールに組み付けられるときに取り外し可能に接続される流体コネクタを有する。
【００２８】
飲料調製モジュールおよびリザーバは、飲料調製モジュールからリザーバへの振動の伝搬を抑制する、あるいは防止するために機械的な振動バリア接続によって接続することができる。そのため、そのような飲料調製マシンの作用形態は、例えば、テーブルまたは棚の上に立つ、または、カップボードあるいは同様の支持体、特に略平坦で水平な支持体内または該支持体上に立つといった形態は、振動する飲料調製モジュールと液体リザーバとの間の使用中の任意の強固な振動伝搬接続を回避するようになる。特に、飲料調製マシンは、振動するモジュールからリザーバに延びて、そのよう振動をリザーバへ伝える硬質なシャーシまたはベースを備えていない。また、飲料調製マシンは、リザーバを飲料調製モジュールに固定して使用中に振動をリザーバに伝えることができる硬質な締結手段を有していない。
【００２９】
そのため、液体リザーバ、例えば水タンクは、一般に、飲料調製モジュールによって引き起こされる振動から遮断され得る。したがって、リザーバには、振動および関連するノイズが伝えられない、あるいは強められないようになる。したがって、飲料調製モジュールの全体のノイズおよび振動が低減される。
【００３０】
液体リザーバは、それが使用中に飲料調製モジュールとは無関係に支持体上に立つように形成され得る。液体リザーバと飲料調製モジュールとの間の界面は、モジュールからリザーバへの振動の伝搬を回避するために、弾力性があってもよく、例えばシリコンから形成されてもよい。
【００３１】
一実施形態において、リザーバは、使用中に飲料調製モジュールに固定されない特に飲料調製マシンとは異なるテーブル面などの外部支持体上に載置するようになっている足を有する。飲料調製モジュールは、一般に、特に使用中にそのような外部支持体上に載置するようになっているゴム脚および／またはバンパなどの１つ以上の制振体を有する底部を有する。そのため、リザーバの重量が、飲料調製モジュール上にかからず、それにより、使用中に振動されない。
【００３２】
本発明によれば、蓋は、リザーバがモジュールに組み付けられるときにリザーバを飲料調製モジュールに対して固定するための締結構造を有する。
【００３３】
蓋の締結構造は、使用中に飲料調製モジュールからリザーバへの振動の伝搬を防止する、あるいは抑制するように構成することができる。
【００３４】
この構造は、蓋に固定される締結構造と、飲料調製モジュールの協働構造とを含むことができ、これらの構造は、使用中にリザーバに対する飲料調製モジュールの自由な移動を可能にするとともに、モジュールが移動されるときにリザーバを飲料調製モジュールに固定するように構成される。そのため、作用形態において、締結構造は、飲料調製モジュールをリザーバに強固に接続せず、モジュールからリザーバへの振動の伝搬を抑制しあるいは防止する。
【００３５】
飲料調製モジュールは、一般に、少なくとも１つの直立壁、例えば飲料前側出口と反対側の後壁または飲料前側出口に隣接する側壁を有する最外ハウジング内に収容され、リザーバが前記直立壁に隣接して配置される。最外ハウジングおよびリザーバ、特にリザーバの上部は、飲料調製モジュールが移動されるときにリザーバをハウジングに固定するとともに、使用中にリザーバに対する飲料モジュールの自由な相対移動を可能にするインターロック構造を有してもよい。
【００３６】
ここで、概略図を参照して、本発明について説明する。
【図面の簡単な説明】
【００３７】
【図１】本発明に係る飲料調製マシンの全体斜視図である。
【図２】図１の飲料調製マシンの飲料調製モジュールに組み付けられるリザーバの斜視図である。
【図３】図２に示されるリザーバおよび飲料調製モジュールの断面斜視図である。
【図４】リザーバの取り外し後に示される図１〜図３の飲料調製モジュールの後側斜視図である。
【図５】図４の細部の拡大図である。
【図６】図１〜図３に示される飲料調製マシンのリザーバ、蓋、および、飲料調製モジュールの相互作用を断面で示している。
【図７ａ】図６に示されるリザーバ、蓋、および、飲料調製モジュールのある位置を断面で示している。
【図７ｂ】図６に示されるリザーバ、蓋、および、飲料調製モジュールの別の位置を断面で示している。
【図７ｃ】図６に示されるリザーバ、蓋、および、飲料調製モジュールのさらに別の位置を断面で示している。
【発明を実施するための形態】
【００３８】
図１〜図７ｃは、本発明に係る飲料調製マシン１およびその一部、特にカプセル内に収容される事前に小分けされた原材料などのフレーバー原材料（例えば茶または挽いたコーヒー）を通じて液体を流通させることによって飲料を調製するためのマシンの一実施形態を示している。飲料調製マシン１は、電気コード３３を介してコンセント電源に接続されて給電される。
【００３９】
飲料調製マシン１は、飲料調製モジュール２と、水などの液体を蓄えて飲料調製モジュールへ供給するためのリザーバ４とを含む。一般に、リザーバ４は水タンクである。
【００４０】
モジュール２は、ポンプおよびヒータを有する流体回路、淹出ユニット２２、および、例えばプッシュボタンを含むユーザインタフェース２３に接続される制御ユニットなどのモジュールの機能ユニットを収容するハウジング２１を有する。淹出ユニット２２の前部は、カプセル取り込み／除去開放位置からカプセル抽出閉塞位置へとハウジング２１に対して内外に伸縮するように構成されてもよい。図１に示されるような取り込み／除去位置では、原材料カプセルを、カプセル入口２４を介して淹出ユニット２２内へ導入できるとともに、淹出ユニット２２から使用済みカプセルのための収集器２５内に排出できる。淹出ユニット２２を開放位置から閉塞位置に移動させるために、すなわち、淹出ユニットの前部をハウジング２１に対して内外に伸縮させるために、ユーザ操作可能なハンドル２６が設けられる。
【００４１】
また、淹出ユニット２２の前部は、カップ支持体２８の上側に配置される飲料出口２７に通じる。カップ支持体２８は、使用済みカプセル収集器２５の下側のドリップトレイに接続されてもよく、それにより、収集器２５、カップ支持体２８、および、ドリップトレイがユニットとしてハウジング２１から取り外され、且つハウジング２１内に挿入されてもよい。カップ支持体２８は、出口２７の下側で小型カップを支持するための図１に示される水平形態と、出口２７の下側に大型カップを配置するべく退避するための直立形態（図示せず）との間で回動できるように回動可能に取り付けられてもよい。そのような回動可能なカップ支持体および変形は、その内容が参照することにより本願に組み入れられる欧州特許第１８６７２６０号明細書に更に詳しく開示されている。
【００４２】
このタイプの飲料調製マシンは、国際公開第２００９／０４３６３０号パンフレットおよび国際出願ＥＰ０９／０５３１３９号明細書に更に詳しく記載されている。
【００４３】
リザーバ４は、水または場合により他の液体、特にメンテナンスプロセスのための給配液を蓄えるようになっているとともに、ハウジング２１に隣接して、特にハウジング２１の直立壁２９に隣接して配置される。図１〜図３に示されるように、直立壁２９は、飲料出口２７の反対側にある後壁である。変形例では、液体リザーバがモジュールのハウジングの側壁、例えばサイドパネル２９’に隣接して配置されてもよい。
【００４４】
リザーバ４は、ヒンジ４２によって直立リザーバ壁４３に回動可能に取り付けられる蓋４１を有する。モジュール２の後壁２９がリザーバ壁４３と対向する。また、蓋４１はリザーバ４の周縁４４に載置する。
【００４５】
飲料調製モジュール２およびリザーバ４は、取り外し可能な接続アセンブリ３１、４５によって流体接続状態に至らされる。
【００４６】
図３および図４に更に詳しく示されるように、接続アセンブリ３１、４５は、飲料調製モジュール２から延びるドッキングステーション３と、リザーバ４から、特にリザーバの底部４３ａから延びる出口構造４５とを備える。ドッキングステーション３は、その入口がドッキングステーション３の表面に配置される流体ライン３１を含む。リザーバ４がドッキングステーション３に取り付けられると、出口構造４５がライン３１の入口に接続される。ライン３１は、ドッキングステーション３からのリザーバ４の除去によって出口構造４５から取り外しできる。
【００４７】
リザーバ４は足４３ｂを有し、該足は、飲料調製マシン１を支持するための外部支持面上、例えばテーブル上または棚上に載置してもよく、また、リザーバ４の底部４３ａをドッキングステーション３の上端３４から上側に離間させてもよい。変形例において、底部４３ａは、足４３ｂがそのような外部支持面の上側に離間されるようにドッキングステーション３上に載置してもよい。
【００４８】
例えば飲料調製マシン１を移動させるためにドッキングステーション３を有する飲料調製モジュール２が持ち上げられると、ドッキングステーション３はリザーバ４を支持して運ぶために使用される。
【００４９】
図１〜図４に示される特定の実施形態において、電気コード３３は、ドッキングステーション３を介して飲料調製マシン１に接続され、特に飲料調製マシン１の飲料調製モジュール２に接続されるとともに、足４３ｂに隣接するリザーバ４の下側でコンセント電源に延びる。しかしながら、飲料調製マシンの電気的接続部は、飲料調製マシンの他の場所に設けられてもよい。飲料調製マシン１が持ち上げられるときに、リザーバ４の下側でドッキングステーション３から延びるコード３３はリザーバ４と干渉しない。
【００５０】
本発明の一態様によれば、蓋４１は、リザーバ４がモジュール２に組み付けられるときにリザーバ４を飲料調製モジュール２に対して固定するための締結構造４６を有する。ここで、この態様について特に図４〜図７ｃを参照して更に詳しく説明する。
【００５１】
蓋４１は、前述したようにヒンジ構造４２を介してリザーバ４に取り外し不能に固定される。ヒンジ構造４２の両側で、蓋４１は、飲料調製モジュール２の後面２９に隣接するその外周に締結構造４６を有する。蓋４１は、リザーバ４をモジュール２に固定するために飲料調製モジュール２に締結され、また、リザーバ４をモジュール２から取り外すためにモジュール２から外される。
【００５２】
図４〜図６に示されるように、図５は図４の細部Ａの拡大図であるが、締結構造４６および飲料調製モジュール２は、取り外し可能な相互接続部３６、４６を有する。蓋４１は、リザーバ４を覆う前部４１ａと、締結構造４６を有する後部４１ｂとを有する。
【００５３】
取り外し可能な相互接続部は、一対のフック４６を蓋４１に備えるとともに、対応するフックリテーナ３６を飲料調製モジュール２に備える。フックリテーナ３６は、壁２９と一体であるとともに、フック４６のためのスロットを形成し、フック４６は、これらのスロットを通過して壁２９の内側に向けられた面２９ａに引っ掛かるように寸法付けられる。
【００５４】
前述したように、飲料調製モジュール２のベース３は、例えばその内容が参照することにより本願に組み入れられる国際出願ＥＰ０９／０５３１３９号明細書に開示されるように、特に飲料調製マシン１がモジュール２を介して持ち上げられるときに取り外し可能なリザーバ４を支持するようになっている支持部材を形成する。
【００５５】
ベース３は、一対の第２の部材、例えば、直立壁２９から略水平に延びる突出部３５と協働する。第２の部材３５は、取り外し可能なリザーバ４をベース３に当て付けた状態に維持するように構成される。第２の部材３５は、リザーバ４の上側部分で、フックリテーナ３６のスロットに隣接して配置される。部材３５は、リザーバ４の壁４３の対応する略水平な開口（図示せず）内に延びる。これらの開口は、特にリザーバ４の上端部に配置され、例えば、その真上に配置される蓋４１で覆われる周縁４４の凹部である。
【００５６】
蓋４１は、取り外し可能なリザーバ４が飲料調製モジュール２のベース３と第２の対抗部材３５とによって保持されるときの組付けをロックするように構成される。飲料調製マシンの図示の実施形態では、モジュール２とリザーバ４との間の組付け拘束は、主に、リザーバ４の底部４３ａおよび側壁４３の範囲内と、モジュール２のベース３および突出部３５の範囲内とにある。フック４６およびフックリテーナ３６は、リザーバ４とモジュール２との組付けをロックするだけである。実質的な組付け拘束はフック４６およびフックリテーナ３６にわたって及ばない。しかしながら、変形例では、フックおよびフックリテーナがモジュール２とリザーバ４との間の組付け力の全ての部分またはかなりの部分を吸収するようにフックおよびフックリテーナを構成することができる。特に、蓋４１は、締結構造４６と協働する構造３６とにより、リザーバ４を、飲料調製モジュール２に抗して、特に支持部材３と第２の部材３５とに抗して楔留めする。
【００５７】
図７ａ〜図７ｃに示されるように、相互接続部、すなわち、フック４６およびフックリテーナ３６は、リザーバ４が壁２９に当て付いてベース３上に載置するときにリザーバ４を蓋４１で閉じることによって接続される（図７ａ）。相互接続部３６、４６は、蓋４１を上方へ回動させてリザーバ４を開放することにより外される（図７ｂ）。その後、リザーバをモジュール２から引き離すことによって、特にモジュール２の後壁２９およびベース３から引き離すことによってリザーバ４を取り外すことができる（図７ｃ）。
【００５８】
蓋４１は、相互接続部を接続し且つ外すために、リザーバ４の縁部上にわたって、すなわち、周縁４４の後部上にわたって回動可能である。そのため、蓋４１の後部４１ｂの底部は、回動時に周縁４４の後部上にわたって摺動するように弓状に曲げられている。
【００５９】
リザーバ４をモジュール２に固定するために、蓋４１を飲料調製モジュール２に締結することができ、また、リザーバ４をモジュール２から取り外すために、蓋４１をモジュール２から外すことができる。
【００６０】
特に、図２、図３、図６〜図７ｃに示されるように、蓋４１および締結構造４６は、リザーバ４をモジュール２に固定するため、および、リザーバ４をモジュール２から取り外すために、回動軸線４２周りに回動可能に移動できる。蓋４１および締結構造４６は、蓋から締結構造に力を増強させるために回動軸線４２周りに回動できるレバー４１、４６を形成する。したがって、蓋４１および締結構造４６がモジュール２に対して締結されると、それによって形成されるレバー４１、４６およびそれに伴って回動軸線４２周りで締結構造４６と蓋４１との間に生じるてこ率は、締結構造４６に対する作用によってレバー４１、４６の回動を抑制する。したがって、リザーバ４および／またはモジュール２に対して作用することにより外れが阻止される。代わりに、締結の解除は、レバー構造４１、４６の蓋４１に対する作用によって達成されるべきである。
【００６１】
変形例では、蓋をリザーバから分離可能にすることができる。蓋をリザーバの後壁にヒンジ結合することなく後壁上にわたって回動可能にすることができる。そのため、蓋を、リザーバが飲料調製モジュールに組み付けられるときにリザーバに接続できるとともに、リザーバが飲料調製モジュールから取り外されるときにリザーバから取り外すことができ、あるいは取り外し可能にすることができる。この形態では、蓋がモジュールに対して取り外し不能に接続されてもよく、あるいは取り外し不能に接続されなくてもよい。
【図１】
0005881618.tif 000002
【図２】
0005881618.tif 000003
【図３】
0005881618.tif 000004
【図４】
0005881618.tif 000005
【図５】
0005881618.tif 000006
【図６】
0005881618.tif 000007
【図７ａ】
0005881618.tif 000008
【図７ｂ】
0005881618.tif 000009
【図７ｃ】
0005881618.tif 000010